(57)【要約】      （修正有）【課題】素早く雨具を取り出してバッグを濡らさないで素早く雨具を着用することができ、素早く雨具を脱いで素早く雨具を収容可能な、雨具一体型バッグを提供する。【解決手段】雨具一体型バッグ１０は、バッグ本体１及び未使用時にはバッグ本体１内に全体が収納されている雨具２より構成される。バッグ本体１は、収納部１Ａ及び一対のバンド部１Ｂを有する。収納部１Ａは、開閉自在な入出口部１Ｆを介して、その内部に物を収納可能な空間を有する。一対のバンド部１Ｂは収納部１Ａの両端部に取付けられている。雨具２の生地の内面２ＩＳの内で、当該バッグ１０を装着する人の腰部周りに該当する一部分１２は、バッグ本体１の収納部１Ａの内面に、着脱自在に又は非着脱的に取付けられている。雨具２の袖部の袖口２Ｓは、脇部を介することなく、雨具２の腰部周りの僅かに直上の部分２ＣＰに、結合部分２ＳＡを介して、直接に繋がっている。【選択図】図１
0003195906.tif 000002
【実用新案登録請求の範囲】
【請求項１】
開閉自在な入出口部を介してその内部に物を収納可能な収納部及び前記収納部の正面視に於ける両端部の各々に取付けられ且つ人の腰部に装着自在な一対のバンド部を備えるバッグ本体と、
その生地の内面の内で前記人の前記腰部周りに該当する一部分が前記バッグ本体の前記収納部の内面に取付けられている雨具と
を備えることを特徴とする、雨具一体型バッグ。
【請求項２】
請求項１に記載の雨具一体型バッグであって、
前記雨具の前記生地の前記内面の前記一部分は前記バッグ本体の前記収納部の前記内面に対して着脱自在に取り付けられている
ことを特徴とする、雨具一体型バッグ。
【請求項３】
請求項１又は２に記載の雨具一体型バッグであって、
前記雨具はコート型雨具であって、
前記コート型雨具の左右の袖部の各々の先端部は、脇部を介さずに、前記コート型雨具の前記腰部周りの直上部分に直接に繋がっている
ことを特徴とする、雨具一体型バッグ。
【考案の詳細な説明】
【技術分野】
【０００１】
この考案は、人の身体の腰部に装着可能な、雨具を備えたバッグに関する。
【背景技術】
【０００２】
特許文献１においては、上着又は衣類等の衣類本体の生地の外面の背中側部分が、リュックサックである背負い式バッグの収納空間内の内面に取付けられて、当該衣類本体が収納されていて、当該背負い式バッグの収納部を開けることで当該衣類本体を着ると共に、当該背負い式バッグの垂れ下がった後ろカバーシートを巻き込んで前カバーシートで形成される上記収納空間に収容する背負い式バッグが、開示されている。
【先行技術文献】
【特許文献】
【０００３】
【特許文献１】特許第５４３３６８５号公報（実施例３、図２４−図３０）
【考案の概要】
【考案が解決しようとする課題】
【０００４】
ところで、オートバイ（自動二輪車）又は自転車を運転している者は、雨降りの日には、コート型の雨具を別途に持参して着用しているが、運転途中にコンビニエンスストア等の店舗或いは各種の商業施設等の建物内に立ち寄る際には、その都度、入口で当該雨具を脱ぎ、その後、店舗等を出る際に出口で当該雨具を着ることになる。この様な運転時に於ける雨具の度重なる着脱作業は時間・手間を必要とし、そのため、面倒な作業である。その様な面倒な作業を行わなければならない運転者の心理面を考慮するならば、建物の入出時に出来る限り速やかに雨具を着脱出来ることが望まれる。
【０００５】
この様な要請は、既述した特許文献１に開示・提案されている背負い式バッグでは実現され得ないし、しかも、雨具である衣類本体を収容する際に背負い式バッグ自体が濡れてしまうという問題点も発生させる。
【０００６】
尚、斯かる問題点は、オートバイ又は自転車（オートバイ等）の運転者の雨具の着脱に限られるものではなく、一般的には、雨具の着脱作業を速やかに行いたい、歩行者、或いは、例えばバードウォッチング又は登山等の様々な野外活動をしている人に対しても、成立し得る問題点である。
【０００７】
（考案の目的）
この考案は、以上の問題点に鑑みて成されたものであり、その主目的の第１は、バッグより素早く雨具を取り出して素早く雨具を着用することが出来ると共に、素早く雨具を脱いで素早く雨具を当該バッグに収容可能な、雨具を備えた雨具一体型バッグを実現することにある。
【０００８】
また、本考案の主目的の第２は、使用後の雨具を雨具一体型バッグに収容する場合に於いて、雨具一体型バッグ自体が濡れた雨具によって濡れることがない雨具一体型バッグを実現することにある。
【課題を解決するための手段】
【０００９】
本考案の主題に係る雨具一体型バッグは、１）開閉自在な入出口部を介してその内部に物を収納可能な収納部及び前記収納部の正面視に於ける両端部の各々に取付けられ且つ人の腰部に装着自在な一対のバンド部を備えるバッグ本体と、２）その生地の内面の内で前記人の前記腰部周りに該当する一部分が前記バッグ本体の前記収納部の内面に取付けられている雨具と、を備えることを特徴とする。
【考案の効果】
【００１０】
本考案の主題に係る雨具一体型バッグによれば、腰部に一対のバンド部を介して装着されたバッグ本体の腹部側にある収納部より、人は、入出口部を開くことで、雨具の生地の外面全体が正面視側に於いて視認可能な状態で雨具は取り出されて配置される。この状態で、人は、バッグ本体を約１８０度回転する。この動作により、バッグ本体の収納部は人の腹部側から背中の中央部側に配置されることとなり、且つ、収納部の入出口部は人の背中の背面視側へ位置することとなるので、雨具の生地の内面は、バッグ本体全体を覆った状態となり、雨具自体は、すぐさま着用可能な状態となる。その結果、人は、素早く雨具をバッグ本体よりバッグ本体に一体化された状態のままで取り出して、バッグ本体を雨具の生地全体で覆った状態で当該雨具を素早く着ることが出来る。
【００１１】
雨具を脱いで当該雨具をバッグ本体の収納部に収納する場合には、人は、上記の着用時の動作とは逆の動作を行えば良い。従って、人は、バッグ本体と一体化された状態で着ている雨具を素早く脱いで、当該雨具を素早くバッグ本体の収納部内に収納することが出来る。しかも、バッグ本体の収納部を背中側から腹部側へ回して来て当該収納部を元の状態に戻した場合には、雨具の生地の外面が正面視に於いて見える状態となっているので、その状態に於いて雨具を畳むと、雨具の生地の内面が正面視側に視認可能な状態で顕出することとなり、濡れている雨具の生地の外面は畳み込まれて正面視側に於いて視認されない状態となる。そのため、雨具を畳んでバッグ本体の収納部内に収納する際には、雨具の生地の内面側のみが顕出した状態で雨具が収納されることとなり、人は雨具の収納によってバッグ本体の収納部を濡らしてしまうことを防止し得る。
【００１２】
以下、本考案の様々な具体化を、添付図面を基に、その効果・利点と共に、詳述する。
【図面の簡単な説明】
【００１３】
【図１】本考案の実施の形態１に係るコート型雨具一体型バッグを、その収納部が人の身体の腰部の腹部側に位置する様に当該腰部に装着した場合に於ける、当該雨具一体型バッグの構造を模式的に示す正面図である。
【図２】図１に記載のコート型雨具一体型バッグを、当該収納部が人の身体の腰部の背中側に位置する様に、略１８０度回転させた場合に於ける、当該雨具一体型バッグの構造を模式的に示す正面図である。
【図３】図１に記載のコート型雨具一体型バッグのバッグ本体の収納部内に、コート型雨具を畳んで収納する状態を模式的に示す正面図である。
【考案を実施するための形態】
【００１４】
（実施の形態１）
＜コート型雨具一体型バッグの特徴点＞
【００１５】
本実施の形態に係るコート型雨具一体型バッグ（以下、単に「雨具一体型バッグ」という。）の特徴点は、コート型雨具の生地の内面（裏面に該当。）の内の腰部周辺部の一部がバッグ本体の収納部の内面に着脱自在に取り付けられている点にある。ここでいう「コート型雨具」は、ワンピースのレインコートの雨具を含むのみならず、袖を通すだけの雨具、例えば「ポンチョ」をも含む概念としての、非ズボン型の雨具である（以下「雨具」という。）。又、ここでいう「雨具一体型バッグ」とは、典型的にはボディバッグ或いはウェストバッグ等の、人の身体の腰部（ウェスト部）にバンド等の結合部で装着・脱着が自在な「バッグ」であって、且つ、上記の雨具を一体的に備える「バッグ」を意味する。
【００１６】
＜雨具一体型バッグの構造＞
図１は、本実施の形態に係る雨具一体型バッグ１０を、そのバッグ本体１の収納部１Ａが人の身体の腰部（ウェスト部）の腹部側に位置する様に当該腰部に装着した場合に於ける、雨具一体型バッグ１０の構造を模式的に示す、正面側から眺めた場合の正面図である。図１に於いては、上記状態にある雨具一体型バッグ１０のバッグ本体１の収納部１Ａから、雨具一体型バッグ１０を装着している人が雨具２を取り出して、当該雨具２を広げた際の状態を示している。又、図１では、図示の便宜及び理解容易化の観点から、バッグ本体１が拡大化されて誇張的に表示されている。従って、実際には、バッグ本体１は、収納部１Ａから取り出されて広げられた状態にある雨具２より食み出して雨具２の正面側から見える状態にある訳ではない。
【００１７】
又、図２は、図１に記載の状態にある雨具一体型バッグ１０のバッグ本体１を、その収納部１Ａが人の身体の腰部の背中側略中央部に位置する様に、雨具一体型バッグ１０を装着している人自身が略１８０度回転させた場合に於ける、雨具一体型バッグ１０の構造を模式的に示す正面図である。図２に於いても、後述する様にバッグ本体１の収納部１Ａに部分的に一体化されている雨具２が広げられた状態が示されている。
【００１８】
尚、図１及び図２に於いては、図示の便宜上、雨具一体型バッグ１０を腰部に装着している人の表示は割愛されている。
【００１９】
図１及び図２に示される様に、雨具一体型バッグ１０は、大要、１）バッグ本体１、及び、２）未使用時にはバッグ本体１内に全体が収納されている雨具２より構成される。
【００２０】
その内、バッグ本体１は、収納部１Ａ、及び、一対のバンド部１Ｂを備える。ここで、一対のバンド部１Ｂの内で、図１の正面視に於いて、右側に位置するバンド部１Ｂはバンド部１ＢＲとしても表示され、他方、左側に位置するバンド部１Ｂはバンド部１ＢＬとしても表示される。収納部１Ａは、開閉自在な入出口部（例えばファスナーより成るチャック部に該当。）１Ｆを介して、その内部に物を収納可能な空間（収納空間）を有している。そして、人の腰部に、例えばバックル部（バンド結合部）１Ｃ，１Ｄを介して、装着・脱着自在な一対のバンド部１Ｂ（１ＢＲ，１ＢＬ）が、収納部１Ａの正面視に於ける両端部の各々に、取付けられている。
【００２１】
雨具２の構造上の特徴点の第１は、次の点にある。即ち、雨具２の生地の内面２ＩＳの内で、雨具一体型バッグ１０を装着する人の腰部周りに該当する一部分１２が、バッグ本体１の収納部１Ａの内面（上記収納空間を成す収納部１Ａの内面。）に、着脱自在に又は非着脱的に、取付けられている。前者の「着脱自在」な固定の場合には、一部分１２は、収納部１Ａの内面に、ファスナー又は面ファスナー等の結合部材により取付けられている。この場合には、雨具２の一部分１２を収納部１Ａの内面より自在に取り外すことが可能であるので、濡れた状態で収納部１内に収納されている雨具２を収納部１Ａより取り外して乾かすことが可能である。他方、後者の「非着脱」型の固定の場合には、一部分１２は、縫合技術により、収納部１Ａの内面に縫い合わされて固定される。図１に於いては、雨具２は、入出口部１Ｆが開かれたバッグ本体１の収納部１Ａから取り出されて垂れ下がった状態にあるので、正面視側からは視認されない雨具２の生地の内面２ＩＳの一部分１２のみが収納部１Ａの内面に結合されており、正面視側からは、雨具２の生地の外面２ＯＳがほぼ全面的に視認されている。又、雨具２の頭部分２Ｈは、雨具２の最上部２Ｔの収納部内に、未使用時には収納されている。
【００２２】
又、雨具２の構造上の特徴点の第２は、次の点にある。即ち、雨具２の左右の袖部の各々の先端部（袖口）２Ｓは、雨具２の上記腰部周りの部分よりも僅かに上方の腰部直上部分２ＣＰに、下側の袖部部分を成す結合部分２ＳＡを介して、直接に繋がっている。即ち、図１及び図２に於いて破線で示される、腕部と脇部とより成る胴部分３は、雨具２に於いては、形成されてはいない。この様な結合部分２ＳＡを有する袖部分を備える雨具２を使用することにより、後述する雨具２の収納時に於いて、雨具２の生地の袖部分の外面を、全体的に雨具２の生地の内面によって巻き込むことが可能となり、使用により外面が濡れている雨具２の収納による収納部２の生地が濡れてしまう事態の発生を、効果的に防止し得る。
【００２３】
以下では、図１〜図３に基づいて、雨具一体型バッグ１０に於ける雨具２の取り出し・着用方法及び脱ぎ方・収納方法について記載する。ここで、図３は、バッグ本体１の収納部１Ａ内に、雨具２を畳んで収納する状態を模式的に示す、正面側から眺めた際の正面図である。
【００２４】
＜雨具一体型バッグ１０の使用方法及び収納方法＞
Ａ．雨具２の取り出し・着用方法
先ず、人は、バッグ本体１の収納部１Ａが自己の身体の腰部の腹部側に位置する様に、バックル部１Ｃ，１Ｄを介して、左右一対のバンド部１Ｂでバッグ本体１を腰部に取付けることで、雨具一体型バッグ１０を装着する。
【００２５】
次に、その装着状態のままで、人は、収納部１Ａの入出口部１Ｆを開いて収納部１Ａの収納空間内に収納されている雨具２を収納部１Ａより取り出して手を離す。すると、雨具２は、その生地の内面の一部分１２のみが収納部１Ａの内面に結合されたままで、その生地の外面２ＯＳを正面視に於いて視認可能な状態で正面側に垂れ下がる。その雨具２の状態が、図１に示されている。この場合、雨具２は上記一部分１２を介してバッグ本体１と一体化されており、雨具２の生地の内面２ＩＳは全体的に正面側からは視認されない。
【００２６】
その状態に於いて、人は、すぐさま、腰部周りに、略１８０度、腰部に取付けられたバッグ本体１を回転させて、収納部１Ａを腰部の背中側の略中央部に配置させる。すると、雨具２の生地の内面２ＩＳが、生地の外面２ＯＳの一部と共に、正面側に向くこととなり、生地の内面２ＩＳの一部が正面側より視認されることとなる。その状態を模式的に示した図が、図２である。この状態下に於いては、人は、雨具２の左右の袖部に対応する各腕を通すことで、即座に雨具２を着ることが出来る。この状態に於いては、バッグ本体１は、全体的に、雨具２の生地の内面２ＩＳによって覆われている。
【００２７】
従って、バッグ本体１自体をそのまま雨具２の生地の内面２ＩＳで覆いながら、人は、即座に、雨具２を着ることが出来る。この場合、バッグ本体１は、依然として、人の腰部に装着されている。しかも、雨具２の袖部の袖口２Ｓは上記の通り結合部２ＳＡを介して胴体の脇部よりも比較的大きく下方へ開いた状態となっているので、人は腕を袖口２Ｓまで即座に袖部に通すことが出来る。よって、オートバイ等に乗車している人は、雨が降ってきたならば、オートバイ等に乗った状態の姿勢で、即座に、簡単な動作で以って、雨具２を着用することが出来る。又、オートバイ等に乗車している人が運転途中でコンビニエンスストア等の店舗に入った後に、当該店舗から出る際に、バッグ本体１を一々身体から取り外すことなく、バッグ本体１から雨具２を即座に取り出して即座に着ることが出来る。この場合の作業は、極めて簡単であり、面倒な動作は強いられない。
【００２８】
Ｂ．雨具２の脱ぎ方・収納方法
雨具２の脱ぎ方は、上記Ａ．の動作と逆の動作となる。即ち、雨具２を着用している人は、雨具２の袖部から各腕を抜いて雨具２を身体から脱ぎ去る。その状態において、人は、すかさず、腰部周りにバッグ本体１を略１８０度回転させて、バッグ本体１の収納部１Ａを腰部の腹部上方の位置に復元させる。この場合、雨具２は、その生地の内面２ＩＳの一部分１２と収納部２の内面との結合により、当該バッグ本体１の回転動作に随伴する。回転動作終了後の雨具一体型バッグ１０の状態を正面側から眺めた状態は、図１に示される状態となる。そして、バッグ本体１の収納部１Ａの入出口部１Ｆは正面側に位置している。
【００２９】
この状態に於いて、人は、すぐさま、垂れ下がった濡れた雨具２を、収納部１Ａを濡らすことなく、収納部１Ａの収納空間内に収納することが出来る。その際の収納方法を示す図が、図３である。
【００３０】
先ず、人は、雨具２の生地の各袖部の外面２ＯＳを、雨具２の生地の背中側中央部の外面２ＯＳへ向けて折り畳み、その後、雨具２の最上部２Ｔ側から上部の生地の外面２ＯＳを略半分に畳み込む。すると、対応する雨具２の生地の部分の内面２ＩＳが、図３に例示する様に、正面視側に顕出することとなる。即ち、雨具２の最上部２Ｔ側から上部の生地の外面２ＯＳは、対応する雨具２の生地の部分の内面２ＩＳによって内側に折り込まれる。更に、人は、足元側を覆う雨具２の下方部分の生地の外面２ＯＳを上方へ半分に折り畳む。これにより、足元側の雨具２の下方部分の生地の外面２ＯＳは、同様に、対応する雨具２の生地の部分の内面２ＩＳによって内側に折り込まれる。結果的に、雨具２の生地の部分の内面２ＩＳが、正面側に顕出することになる。この状態で、人は、折り込まれた雨具２を収納部１Ａの収納空間内に収納して、その後、入出口部１Ｆを閉じれば良い。
【００３１】
よって、雨具２を着ている人は、一々、バッグ本体１Ａを身体から取り外すことなく、バッグ本体１Ａを装着したままの状態で、即座に雨具２を抜いで、腰部の腹部側の収納部１Ａ内に、濡れた雨具２を、収納部１Ａの生地をその後に濡らしてしまうことの無い状態で、即座に収納することが出来る。斯かる動作は極めて簡単であり、即座に行い得るものであって、着用者に面倒な感じを与えない動作である。そのため、雨具２を着用してオートバイ等に乗車している人は、雨が止んだときには、オートバイ等に乗った状態の姿勢で、即座に、簡単な動作で以って、雨具２を脱いで収容部１Ａ内に雨具２を濡らすことなく収容することが出来る。又、オートバイ等に乗車している人が運転途中でコンビニエンスストア等の店舗に入る場合には、当該店舗の入口に於いて、バッグ本体１を一々身体から取り外すことなくバッグ本体１を装着したままで、即座に雨具２を脱いで、バッグ本体１の収容部１Ａを濡らすことなく、即座に雨具２を収納部１Ａ内に収容した上で、店舗内に入ることが出来る。その際、面倒な作業は、必要とはされない。
【００３２】
これらの作用・利点は、オートバイ等に乗車している人に限られるものではなく、雨具一体型バッグ１０を着用して歩行している人、又は、雨具一体型バッグ１０を着用して種々の野外活動をしている人についても得られる作用・利点でもあることは勿論である。
【００３３】
（実施の形態１の変形例）
実施の形態１では、コート型雨具について記載したが、本考案は、コート型雨具以外の雨具についても適用可能である。
【００３４】
又、バッグ本体に関しては、バンドで人のウェストに着用できるものであれば、その様なバッグ本体は、全て、本考案でいう「バッグ本体」に該当する。
【００３５】
又、袖部の先端部（袖口）２Ｓの構成に変えて、図１及び図２に破線で示される様な、腕部と脇部とより成る部分３を、雨具２の袖部として採用しても良い。
【００３６】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００３７】
本考案は、例えば、コート型の雨具が一体化されたボディバッグ又はウェストバッグに適用して好適である。
【符号の説明】
【００３８】
１０  雨具一体型バッグ
１  バッグ本体
１Ａ  収納部
１Ｆ  入出口部
１Ｂ  一対のバンド部
２  雨具（コート型雨具）
２ＯＳ  雨具の生地の外面
２ＩＳ  雨具の生地の内面
２Ｈ  雨具の頭部部分（収容状態）
２Ｓ  雨具の袖部の先端部（袖口）
１２  生地の内面の内で腰部周りに該当する一部分
【図１】
0003195906.tif 000003
【図２】
0003195906.tif 000004
【図３】
0003195906.tif 000005